(57)【特許請求の範囲】
【請求項１】
基地局と、基準パイロット調査データおよび基地局初期トラフィック負荷情報を生成する手段とを有するワイヤレス通信システムで、相異なるトラフィックチャネル負荷条件に対して基地局送信パワーレベルを設定する方法において、
各基地局の送信パワーの変動を表す第１調節ファクタと、各基地局のトラフィックチャネル負荷の変動を表す第２調節ファクタの値を入力する入力ステップと、
前記基準パイロット調査データ、前記基地局初期トラフィック負荷情報、前記第１調節ファクタおよび前記第２調節ファクタに基づいて、新しい移動機受信ＥＣ／ＩＯおよびパイロットカバレジをプロセッサが計算する計算ステップと、
パイロットカバレジオーバーラップおよび他の基地局からの干渉が基地局ごとに最小になるまで、調整ファクタを調整する調整ステップと、
最後の調節ファクタおよび新しい移動受信ＥＣ／ＩＯを用いて、トラフィックチャネル負荷条件に対する最適化された基地局パワー設定を計算し記憶するステップと、
相異なるトラフィックチャネル負荷条件について繰り返し、最適化された基地局パワー設定の群を得るステップと、
該最適化された基地局パワー設定の群から、基地局の実際の負荷条件に対応する１つの設定を選択する選択ステップと、
からなることを特徴とする基地局送信パワーレベルを設定する方法。
【請求項２】
前記基地局初期トラフィック負荷情報は、１つの基地局によって送信される全パワーに対するパイロット信号パワーの比を表すことを特徴とする請求項１に記載の方法。
【請求項３】
前記基準パイロット調査データは、移動機で受信される全パワーにおける、移動機で受信されるｉ番目の基地局のパイロットパワーの割合を表すことを特徴とする請求項１に記載の方法。
【請求項４】
チップあたりのエネルギーをＥＣで表し、全受信パワーをＩＯで表し、全パワーのうち特定のパイロットチャネルを通じて受信される割合をＥＣ／ＩＯとして、前記基準パイロット調査データは、試験移動機で受信されるＥＣ／ＩＯであることを特徴とする請求項１に記載の方法。
【請求項５】
前記基地局初期トラフィック負荷情報は、１つの基地局によって送信される全パワーに対するパイロット信号パワーの比を表し、かつ
前記基準パイロット調査データは、移動機で受信される全パワーにおける、移動機で受信されるｉ番目の基地局のパイロットパワーの割合を表すことを特徴とする請求項１に記載の方法。
【請求項６】
少なくとも１つの基地局と、移動機受信ＥＣ／ＩＯおよび初期送信ＥＣ／ＩＯを生成する手段とを有するワイヤレス通信システムで、相異なるパワーおよび負荷の条件下で干渉を最適化する方法において、
各基地局の基地局パワーに対応する第１調節ファクタと、各基地局のトラフィックチャネル負荷条件に対応する第２調節ファクタの値を入力する入力ステップと、
前記移動機受信ＥＣ／ＩＯ、前記初期送信ＥＣ／ＩＯ、前記第１調節ファクタの選択された値、および、前記第２調節ファクタの選択された値に基づいて、新しい移動機受信ＥＣ／ＩＯをプロセッサが計算する計算ステップと、
パイロットカバレジオーバーラップおよび他の基地局からの干渉が基地局ごとに最小になるまで、調整ファクタを調整する調整ステップと、
最後の調節ファクタおよび新しい移動機受信ＥＣ／ＩＯを用いて、トラフィックチャネル負荷条件に対する最適化された基地局パワー設定を計算し記憶するステップと、
相異なるトラフィックチャネル負荷条件について繰り返し、最適化された基地局パワー設定の群を得るステップと、
該最適化された基地局パワー設定の群から、基地局の実際の負荷条件に対応する１つの設定を選択する選択ステップと、
からなることを特徴とする、干渉を最適化する方法。
【請求項７】
基地局および移動無線機を有するワイヤレス通信システムで、相異なるパワーおよび負荷の条件下でパイロット信号オーバーラップおよびＲＦ干渉が最小になるまでセル送信パワー調節ファクタおよびセルトラフィックチャネル負荷調節ファクタを調整するための装置において、
移動無線機および基地局で生成される基準パイロット調査データおよび基地局初期トラフィック負荷情報を記憶するメモリと、
各セルのセル送信パワー調節ファクタおよび各セルのセルトラフィックチャネル負荷調節ファクタの値を入力するためのインタフェースと、
前記基準パイロット調査データ、前記基地局初期トラフィック負荷情報、前記セル送信パワー調節ファクタおよび前記セルトラフィックチャネル負荷調節ファクタに基づいて、新しい移動機受信ＥＣ／ＩＯおよびパイロットカバレジを計算するプロセッサとからなる装置。
【請求項８】
チップあたりのエネルギーをＥＣで表し、全受信パワーをＩＯで表し、全パワーのうち特定のパイロットチャネルを通じて受信される割合をＥＣ／ＩＯとして、前記基準パイロット調査データは、試験移動機で受信されるＥＣ／ＩＯであることを特徴とする請求項７に記載の装置。
【請求項９】
相異なるトラフィックチャネル負荷条件に対するパイロットカバレジを計算する装置において、
試験移動機で生成される基準パイロット調査データと、基地局で生成される基地局初期トラフィック負荷情報を記憶するメモリと、
各セルのセル送信パワー調節ファクタおよび各セルのセルトラフィックチャネル負荷調節ファクタの値を入力するためのインタフェースと、
前記基準パイロット調査データ、前記基地局初期トラフィック負荷情報、前記セル送信パワー調節ファクタおよび前記セルトラフィックチャネル負荷調節ファクタに基づいて、新しい移動機受信ＥＣ／ＩＯおよびパイロットカバレジを計算するプロセッサとからなる装置。
【請求項１０】
前記基地局初期トラフィック負荷情報は、１つの基地局によって送信される全パワーに対するパイロット信号パワーの比を表し、かつ
前記基準パイロット調査データは、移動機で受信される全パワーにおける、移動機で受信されるｉ番目の基地局のパイロットパワーの割合を表すことを特徴とする請求項９に記載の装置。
【発明の詳細な説明】
【０００１】
【発明の属する技術分野】
本発明は、ワイヤレス通信の分野に関し、特に、異なる無線周波条件下でパイロットカバレジを評価する方法および装置に関する。
【０００２】
【従来の技術】
ワイヤレス移動通信は、実質的にどこでもいつでもユーザが音声およびデータサービスにアクセスすることができるという多大な利便性を提供する。符号分割多元接続（ＣＤＭＡ）通信システムは、音声およびデータサービスの所望の組合せを提供することが可能な、最も有望なディジタルワイヤレス通信システムの１つである。ＣＤＭＡ変調方式によれば、多数のシステムユーザが相互に通信することが可能である。
【０００３】
通信システムによって提供される地理的カバレジ（サービスエリア）は、セルというカバレジエリアに分割され、各セルは１つの基地局に対応する。セルは、さらに複数のセクタに分割されることもある。与えられたセルあるいはセクタに割り当てられる通信チャネルは、さまざまな周知の方法によって決定される。各基地局は、その基地局のセル内にある移動無線機に対するビーコンとして作用するパイロット信号を送信する。複数の基地局は、同じパイロット信号を使用するが、それらの基地局が区別されるように相異なる同調オフセットで使用する。基地局によって提供される地理的カバレジを、パイロットカバレジともいう。
【０００４】
与えられたシステム設定に対して、システムエンジニアの１つの最適化目標は、良好な無線周波（ＲＦ）環境を提供することである。このような最適化の２つのファクタとして、（１）複数のパイロットエリア（相異なる基地局からのパイロット信号がほぼ同じ信号強度を有するような領域）を最小にすること、および、（２）他の基地局からの干渉の影響を最小にすることがある。これらのファクタ（パイロット信号オーバーラップとセル間干渉）はそれぞれ、ワイヤレスシステムにおける基地局の送信パワーレベルによって直接に影響される。従って、最適化プロセスの目標は、一般にパイロット信号オーバーラップとセル間干渉が最小になる基地局送信パワーレベルを決定することである。このような最適な送信パワーレベルはまた、基地局に対するトラフィック負荷の関数でもある。
【０００５】
【発明が解決しようとする課題】
一般に、基地局が配置された後、受信パイロット信号強度を測定する端末（例えば、移動局あるいはパイロットスキャナ）を現場で使用して、さまざまな基地局からのパイロット信号強度の基準データのセット（「基準パイロット調査データ」という）を収集し生成する。次に、基準パイロット調査データと、基地局の初期パワー設定を分析して、パイロット信号オーバーラップやセル間干渉のような、ＲＦ問題エリアを識別する。次に、通常のように、初期基地局パワー設定を調節して、識別されたＲＦ問題エリアを補正する。次に、再び端末を使用して、調節されたパワー設定に基づいて新しいパイロット調査データのセットを収集する。この手順を、相異なるトラフィックチャネル負荷条件に対して繰り返す。ここで、トラフィックチャネル負荷とは、与えられた時刻にサービスされている移動局の数のことである。従って、現在利用可能な方法を使用して相異なるＲＦ条件あるいは環境のシステムを最適化することは、時間がかかり高価となる。
【０００６】
【課題を解決するための手段】
本発明は、さまざまなトラフィック負荷および基地局パワー条件によるパイロットカバレジの変化を評価することによって、パイロット信号オーバーラップおよびセル間干渉を最小にする装置および方法に関する。具体的には、本発明は、基準パイロット調査データから、パイロット信号オーバーラップおよびセル間干渉を最小にすることによって、順方向リンク上のさまざまなトラフィック負荷に対する適当な基地局パワー設定を決定する。重要な点であるが、パイロットカバレジ評価は、次の２つのパラメータの測定しか必要としない。
（１）送信パイロットＥC／ＩO。これは、パイロットのチップあたりの平均送信エネルギーの、全送信パワースペクトル密度に対する比である。
（２）移動無線機受信パイロットＥC／ＩO。これは、移動機における、チップあたりの合成パイロットエネルギーの、全受信パワースペクトル密度に対する比である。
【０００７】
本発明の実施例では、システムは、基地局送信パワーおよび順方向リンク上のトラフィックチャネル負荷条件に関連する１対の調節ファクタを変化させることによって、移動機受信パイロットＥC／ＩOの変化を決定する。基地局初期トラフィック負荷データおよび基準パイロット調査データが、最初に、ＥC／ＩOに関して記憶される。可変の調節ファクタの各組合せごとに、システムは、基準パイロット調査データから変化を計算する。調節ファクタは、順方向リンクにおける各トラフィックチャネル負荷条件ごとに最適な基地局パワー設定（すなわち、最小のパイロット信号オーバーラップなど）が得られるまで、変えられる。これにより、最適化された基地局パワー設定の群が得られる。その後、基地局送信パワー設定は、最適化された送信パワー設定群から、例えば、基地局の実際の負荷条件に対応する１つの設定を選択することによって、決定される。
【０００８】
【発明の実施の形態】
本発明は、ＣＤＭＡシステムに特に適しており、その場合について説明するが、広帯域ＣＤＭＡ（Ｗ−ＣＤＭＡ）などの他のシステムでの使用にも同様に適している。
【０００９】
一般に、本発明によれば、システム設計者は、さまざまなトラフィック負荷および基地局パワー条件によるパイロットカバレジの変化を評価することが可能となる。基地局が配置された後、受信パイロット信号強度を測定する端末（例えば、移動局あるいはパイロットスキャナ）を使用して、基準パイロット調査データを収集し生成して、ディスクまたはテープに記憶させる。基地局初期送信パイロットＥC／ＩO、すなわち、トラフィックチャネル負荷データも、ディスクまたはテープに記憶される。複数の基地局送信パワーあるいは順方向リンク上のトラフィック負荷条件のそれぞれに対してパイロット信号オーバーラップおよびＲＦあるいはセル間干渉が最小になるまで、送信パワーおよびトラフィックチャネル負荷を変えるように１対の調節ファクタが入力される。
【００１０】
各トラフィックチャネル負荷条件ごとに、本発明の方法は、初期記憶データに調節ファクタを適用することによって、基準パイロット調査データの変化を決定する。この変化は、与えられた条件下で移動局がどの程度のＥC／ＩOを受信するかを反映する。少なくともパイロット信号オーバーラップおよびセル間干渉を最小にする基地局パワー設定が、各基地局ごとに記憶される。従って、システムエンジニアは、それぞれの異なるトラフィックチャネル負荷条件ごとに最適化された基地局パワー設定のセットを得る。その後、これらの最適化パワー設定のうちの１つが、各基地局ごとに、システムエンジニアによって選択される。
【００１１】
図１は、一般的なセルラワイヤレスネットワークのブロック図である。移動電話交換局（ＭＴＳＯ：Mobile Telephone Switching Office）１０（移動交換センタ（ＭＳＣ：Mobile Switching Center）ともいう。）は、セルラネットワークと交換有線ネットワーク１２の間の呼の交換を行う。
【００１２】
ＭＴＳＯ１０は、複数のセルラ基地局１４に接続される。セルラ基地局１４は、無線ポートを通じてセルラアンテナ１６に接続された固定位置マルチチャネルトランシーバを有する。セルラ基地局１４が通信ゲートウェイとして作用する地理的エリアをセル１８という。複数のセルラ基地局１４のセルが適当な位置に分布して、システムカバレジを形成する。例示的な配置を図４に示す。各セルラ基地局１４は、セル１８内にあるセルラ移動ユニット（移動局あるいは移動無線機）２０に対するビーコンとなる識別可能なパイロットチャネル信号を有する。移動無線機２０は、パイロットチャネルおよび複数のトラフィックチャネルを含む順方向リンク（基地局から移動機へ）と、複数のトラフィックチャネルおよびアクセスチャネルを含む逆方向リンク（移動機から基地局へ）を通じてセル１８内のセルラ基地局と通信する。
【００１３】
各基地局１４は、同じ周波数で一定パワーのパイロット信号を送信する。（移動無線機における）受信パイロット信号のパワーレベルにより、移動無線機２０は、基地局１４と移動無線機２０の間のパス損失を評価することができる（Vijay K. Garg, Kenneth Smolik and Joseph E. Wilkes, "Applications of CDMA Wireless/Personal Communications", Prentice Hall, 1997、を参照）。パス損失が分かると、移動無線機２０は、基地局１４が必要なパワーレベルでアクセスプローブあるいはトラフィック信号を受信するように、その送信パワーを調節する（Vijay K. Garg, Kenneth Smolik and Joseph E. Wilkes, "Applications of CDMA Wireless/Personal Communications", Prentice Hall, 1997、を参照）。基地局で適当な送信パワーレベルを設定することにより、本発明は、順方向リンク上のさまざまなトラフィック負荷に関して、パイロット信号オーバーラップおよびセル間干渉を効率的に最小にする。
【００１４】
送信パイロットパワーレベルおよび受信パイロット強度は一般にＥC／ＩOを用いて参照される。ここで、ＥC／ＩOは、特定のパイロットチャネルを通じて（すなわち、特定の基地局から）受信される相対信号強度（全パワーに対する割合）であり、ＥCはチップあたりのエネルギーを表し、ＩOは全受信パワーを表す（それぞれ、Telecommunications Industry Association/Electronic Industry Association/Interface Standard-98 ("TIA/EIA/IS-98")の第１−８ページ第８〜１０行、および、第１−９ページ第３３〜３４行、を参照 ）。
【００１５】
図２に、本発明の方法とともに用いられるシステム２００の実施例を示す。システム２００は、処理ユニット２１０、ディスプレイスクリーン端末２２０、入力デバイス（例えば、キーボード２３０およびマウス２３５）を有する。処理ユニット２１０は、プロセッサ２４０およびメモリ２５０を有する。マウス２３５は、入力信号をシステム２００に提供するための、オンおよびオフの位置を有するスイッチ２３７を含む。スクリーン２２０、キーボード２３０およびマウス２３５をまとめてディスプレイという。補助メモリ（図示せず）を処理ユニット２１０に接続して、記憶されている情報にアクセスすることも可能である。
【００１６】
実施例では、システム２００は、コンピュータオペレーティングシステムとしてＵＮＩＸ（登録商標）を使用し、ユーザとオペレーティングシステムの間のインタフェースを提供するウィンドウイングシステム（一般にグラフィカルユーザインタフェース（ＧＵＩ）という。）としてX Windows（登録商標）を使用する。ＵＮＩＸ、X Windowsおよび本発明の方法は、システム２００のメモリ２５０に、あるいは、システム２００が接続された中央コンピュータ（図示せず）のメモリに存在することが可能である。ここではＵＮＩＸおよびX Windowsの場合について説明するが、本発明は、他のコンピュータオペレーティングシステムおよびウィンドウイングシステムにも実装可能である。
【００１７】
図３において、流れ図３００は、本発明の方法によって使用されるステップの列を示す。本発明の方法を図４とともに説明する。図４は、複数の基地局４１０と、対応するセル４２０の部分的カバレジ配置４００を示す。セルの形状は単なる例示のためのものである。
【００１８】
システム配置４００および各基地局４１０の公称の基地局送信パワー設定が与えられると、試験移動機を用いて、各基地局ごとに、移動パイロット信号強度受信ＥC／ＩO、すなわち、基準パイロット調査データを測定し生成する（ステップ３１０）。各基地局４１０は、従来のようにして、その基地局での初期トラフィック負荷条件を反映する初期送信ＥC／ＩOを決定する。受信および送信のＥC／ＩOはいずれも、ディスクなどの補助記憶領域に記憶される（ステップ３２０）。
【００１９】
本発明の方法は、さまざまなトラフィックチャネルおよびパワー設定の条件をシミュレートするために２つの調節ファクタを使用する。第１の調節ファクタａiは、各基地局ｉの送信パワーの変動を表し、第２の調節ファクタｂiは、各基地局ｉのトラフィックチャネル負荷の変動を表す。例えば、ａi＝１のとき、基地局パワーは公称レベルにある。すなわち、調節はない。ａi＝２のとき、基地局パワーは２倍にされる。ａi＝０．５のとき、基地局パワーは半分にされる。ｂiに関して、「１」はこの場合も公称値からの変化がないことを意味し、１より大きい値はトラフィックチャネル負荷の増大を反映し、１より小さい値は、トラフィックチャネル負荷の減少を反映する。以下で示すように、これらの２つの調節ファクタを、測定される初期データとともに適用することにより、システム２００は、以下の各条件に対するパイロット信号強度を決定することができる。
１．基地局送信パワーのみの変化。
２．基地局トラフィック負荷のみの変化。
３．基地局送信パワーおよび基地局トラフィック負荷の両方の変化。
システム２００によれば、システムエンジニアは、ＧＵＩを用いて各セルごとにａi（基地局送信パワー）およびｂi（トラフィックチャネルに対する負荷）の値を入力することができる。セル送信パワーの変化あるいはトラフィック負荷変化に応じて、本発明の方法は、前のＥC／ＩOデータと、セルトラフィック負荷情報に基づいて、新しいＥC／ＩOを計算する。
【００２０】
基準パイロット調査データ、基地局初期送信ＥC／ＩO、および２つの調節ファクタの間の以下の関係を用いて、本発明の方法は、パイロットカバレジエリアにおける変化を決定する（ステップ３４０）。
【００２１】
前述のように、移動機の受信パイロット信号強度、すなわち、基準パイロット調査データと、初期送信設定（これは、各基地局における初期トラフィック負荷条件を反映する）は、送信および受信ＥC／ＩOを用いて記憶される。ｉ番目のセルの送信ＥC／ＩO（例えば、初期送信ＥC／ＩO）と、移動機で受信される（移動機受信）ｉ番目のセルのＥC／ＩO（例えば、基準パイロット調査データ）は次のように表すことができる。
【数１】
0004184551.tif 000002
ただし、
Ｋは、試験移動機から見えるパイロットの総数であり、
Ｅiは、ｉ番目のセルの移動機受信パイロットパワー（ｉ＝１，...，Ｋ）であり、
Ｉiは、ｉ番目のセルの移動機受信ＣＤＭＡパワー（ｉ＝１，...，Ｋ）であり、
Ｎは、外部干渉および熱雑音などの、移動機受信非ＣＤＭＡパワーであり、
ｅitは、ｉ番目のセルの送信ＣＤＭＡパワーにおける、パイロットパワーの割合（ｉ＝１，...，Ｋ）であり、
ｅirは、移動機で受信される全パワーにおける、移動機で受信されるｉ番目のセルのパイロットパワーの割合、すなわち、移動機で受信されるｉ番目のセルのＥC／ＩO（ｉ＝１，...，Ｋ）である。
【００２２】
各基地局（あるいはその対応するセル）ｉに対して、ｅitは、その基地局によって送信される全ＣＤＭＡパワーに対する、送信されたパイロットパワーの割合を表す。同様に、ｅirは、各セルｉごとに、試験移動機から見える移動機で受信される全パワーに対する、移動機で受信されるパイロットパワーの割合を表す。
【００２３】
本発明の調節ファクタを用いると、移動機で受信されるｉ番目のセルパイロットパワー、および、ＣＤＭＡパワーは、調節後は、次のように表される。
Ｅi′＝ａiＥi    （３）
Ｉi′＝ａiｂiＩi    （４）
ただし、
ａiは、ｉ番目のセルの送信パワー調節ファクタ（ａi≧０、ｉ＝１，...，Ｋ）であり、
ｂiは、ｉ番目のセルのトラフィックチャネル負荷調節ファクタ（ｂi≧０、ｉ＝１，...，Ｋ）であり、
Ｅi′は、調節後に、移動機で受信されるｉ番目のセルのパイロットパワー（ｉ＝１，...，Ｋ）であり、
Ｉi′は、調節後に、移動機で受信されるｉ番目のセルのＣＤＭＡパワー（ｉ＝１，...，Ｋ）である。
基本的に、古い移動機受信パイロットパワーに、セル送信パワー調節ファクタａiを乗じて、新しい移動機受信パイロットパワーを得る。しかし、古い移動機受信ＣＤＭＡパワーには、ａiおよびｂi（セルトラフィックチャネル負荷変数）の両方を乗じて、新しい移動機受信ＣＤＭＡパワーを求める。これは、Ｉiが、送信パワーと、セルにおけるトラフィックの量の両方に依存するからである。
【００２４】
調節ファクタおよび与えられたデータを使用するためには、ｅitをｅirに関係づける式が必要である。これは、次のように、移動機で受信されるｉ番目のセルのＥC／ＩOを反映する式（２）を書き直してＩiの項を引き出し、これを全パワーに対するノイズについてまとめることによって、行われる。
【数２】
0004184551.tif 000003
具体的には、式（５）は、試験移動機から見える基地局ｉのノイズと全パワーの間の関係を表す。式（５）を書き直すことにより、基地局間の全パワーに関する表式が次のように求められる。
【数３】
0004184551.tif 000004
以下に示すように、式（６）の利点は、Ｉiがｅitおよびｅirで表されていることであり、新しいｅirの決定を簡単にするために用いることができる。
【００２５】
式（２）の関係を用いて、新しいｉ番目のセルの移動機受信ＥC／ＩO、すなわち、ｅir′は、新しいＥiおよびＩiを計算することによって求められ、まず、次のように表される。
【数４】
0004184551.tif 000005
ただし、
ｅir′は、調節後に、移動機で受信されるｉ番目のセルのＥC／ＩO（ａi≧０、ｉ＝１，...，Ｋ）であり、
Ｅi′は、調節後に、移動機で受信されるｉ番目のセルのパイロットパワー（ｉ＝１，...，Ｋ）であり、
Ｉi′は、調節後に、移動機で受信されるｉ番目のセルのＣＤＭＡパワー（ｉ＝１，...，Ｋ）である。
式（３）および式（４）で表される基地局送信パワーとトラフィック負荷の調節ファクタの関係を式（７）に代入すると、次のようになる。
【数５】
0004184551.tif 000006
ｅit（式（１）から）、および、式（５）のノイズ対全パワーに対するＮ／Ｉiの表式を代入することによって、式（８）は次のように簡単化される。
【数６】
0004184551.tif 000007
基地局間の全パワーを関係づけるためにＩj／Ｉiの式を代入することによって、さらに次のように簡単化される。
【数７】
0004184551.tif 000008
式（１０）は、さらに次のように簡単化される。
【数８】
0004184551.tif 000009
式（１１）の表式を用いて、本発明の方法は、セル送信パワーの変化（ａi）あるいはトラフィック負荷変化（ｂi）に応じて、前のＥC／ＩOと、セルトラフィック負荷データ（ｅir、ｅkr、およびｅkt）に基づいて、新しいＥC／ＩOを計算するように動作する。
【００２６】
再び図３および図４を参照すると、本発明のシステムおよび方法によれば、システムエンジニアは、パイロット信号オーバーラップおよびセル間干渉が各基地局ごとに最小になるまで、記憶されているデータに関して調節ファクタを調整することができる（ステップ３５０）。次に、最後の調節ファクタおよびｅir′を用いて、トラフィックチャネル負荷条件に対する最適化された基地局パワー設定を計算する（ステップ３６０）。その後、このプロセスを、異なるチャネル負荷条件について繰り返し、最適化された送信パワー設定のセットを得る（ステップ３７０）。すると、システムエンジニアは、システム設定において各基地局ごとに最適化された送信パワー設定のうちの１つを選択する（ステップ３８０）。
【００２７】
【発明の効果】
以上述べたごとく、本発明によれば、さまざまなトラフィック負荷および基地局パワー条件によるパイロットカバレジの変化を評価することによって、パイロット信号オーバーラップおよびセル間干渉を最小にすることが可能となる。
【図面の簡単な説明】
【図１】一般的なワイヤレスネットワークのブロック図である。
【図２】グラフィカルユーザインタフェースを利用して、対応する基地局に対するパイロットカバレジエリアを変化させる調節ファクタを操作するパイロットカバレジ予測システムの図である。
【図３】本発明のパイロットカバレジ予測システムの方法を説明する例示的流れ図である。
【図４】基地局と、対応するパイロットカバレジエリアの図である。
【符号の説明】
１０  移動電話交換局（ＭＴＳＯ）
１２  交換有線ネットワーク
１４  セルラ基地局
１６  セルラアンテナ
１８  セル
２０  移動無線機
２００  システム
２１０  処理ユニット
２２０  ディスプレイスクリーン端末
２３０  キーボード
２３５  マウス
２３７  スイッチ
２４０  プロセッサ
２５０  メモリ
４００  システム配置
４１０  基地局
４２０  セル
【図１】
0004184551.tif 000010
【図２】
0004184551.tif 000011
【図３】
0004184551.tif 000012
【図４】
0004184551.tif 000013